(57)【要約】【課題】印刷時間の短縮を目的とする印刷装置の提供。【解決手段】排紙トレイに印刷物検知手段を設け、スミヤ防止しシーケンスを検知非検知で変化させる。【選択図】　　　　図１
2004122624.tif 000002
【特許請求の範囲】
【請求項１】
前頁の印刷終了後、次頁の印刷開始時期を変化させる、インクジェット方式の印刷装置において、排紙トレイに紙検知装置を持ち、排紙トレイに紙がない場合には、印刷開始を即座に行うことを特徴とする印刷装置。
【請求項２】
前頁のインクの単位面積あたりに打ち込む量により、次ページの印刷開始時期を変化させるインクジェット方式におけることを特徴とする請求項１記載の印刷装置。
【請求項３】
給紙トレイに紙検知装置を持ち、排紙される用紙をすでに排紙された印刷済み用紙から離しておくための機構を設けた装置において、印刷トレイに紙検知装置を持ち排紙トレイに印刷済みの用紙がない場合に、前記離しておくための機構を作動させないことを特徴とする印刷装置。
【請求項４】
給紙トレイに印刷済みの用紙があり、印刷開始時期まで印刷禁止なっている期間を操作者に知らせる手段（警報、表示）を持つことを特徴とする請求項１ないし請求項３いずれか記載の印刷装置。
【発明の詳細な説明】
【０００１】
【発明の属する技術分野】
本発明は印刷装置に関するものである。
【０００２】
【従来の技術】
従来、レーザービーム印刷装置などの様に熱定着装置、を持たないインクジェット方式の印刷装置は定着が遅いが、定着装置を持たないことで安価で高い性能を特徴としていた。
【０００３】
定着の遅さは、次ページの印刷物が前ページの表面を擦ったりすることにより、画像が乱れたりし、問題となる。このため擦らずに前ページの上に載せる排紙手段を設けたり、前ページが定着するまで、次ページの印刷を行わない、制限印刷などが施されている（印刷滴量が多い場合）。
【０００４】
【発明が解決しようとする課題】
実際には、印刷時間がいかに早かろうが、定着する時間が長く不都合があった。この不都合を解決するために前記従来技術に述べたように、印刷を時間的に制限して排紙トレイに積み重ねられる状態になるまで次の印刷を行わないように印刷装置側で制限をするのが一般的であった。ところがこのため複数枚の印刷をする際に排紙トレイの印刷済みのものを取り去っても本体側で依然として印刷制限を行っているのが一般的であった。
【０００５】
本発明は、以上の点に着目して成されたもので印刷時間を短縮する印刷装置を提供することを目的とする。
【０００６】
【課題を解決するための手段】
本発明は、上記欠点を回避するために、排紙部に検知部材を設けることを特徴とする。
【０００７】
すなわち、本発明の技術内容は以下の構成を備えることにより前記課題を解決できた。
【０００８】
（１）前頁の印刷終了後、次頁の印刷開始時期を変化させる、インクジェット方式の印刷装置において、排紙トレイに紙検知装置を持ち、排紙トレイに紙がない場合には、印刷開始を即座に行うことを特徴とする印刷装置。
【０００９】
（２）前頁のインクの単位面積あたりに打ち込む量により、次ページの印刷開始時期を変化させるインクジェット方式におけることを特徴とする前記（１）記載の印刷装置。
【００１０】
（３）給紙トレイに紙検知装置を持ち、排紙される用紙をすでに排紙された印刷済み用紙から離しておくための機構を設けた装置において、印刷トレイに紙検知装置を持ち排紙トレイに印刷済みの用紙がない場合に、前記離しておくための機構を作動させないことを特徴とする印刷装置。
【００１１】
（４）給紙トレイに印刷済みの用紙があり、印刷開始時期まで印刷禁止なっている期間を操作者に知らせる手段（警報、表示）を持つことを特徴とする前記（１）ないし（３）いずれか記載の印刷装置。
【００１２】
【発明の実施の形態】
以下に、本発明の実施形態を、複数の実施例に基づき、図面を参照して詳細に説明する。
【００１３】
【実施例１】
図１で本発明の構成を表す。１０１は本発明のインクジェットプリンタにおける給紙トレイで印刷前の用紙がためられているところを表している。印刷命令が不図示コンピュータより発せられると、１０１より本体であるところの１０２で印刷すべく供給される。
【００１４】
１０２は本体印刷部で内部には、インクジェトプリント部を持ち印刷されて用紙は、１０４の排紙トレイに排出される。このとき印字によってまたは、印字される用紙によっては、排紙または、次の印字が制限される。１０３は、紙検知スイッチで、紙の排紙トレイ１０４上の有無を検知する。紙ありの場合は、適切な時間だけ印刷開始を遅らせる。
【００１５】
又、紙なしの場合は、即時印刷、排紙を行う。
【００１６】
【実施例２】
図２で本発明の実施例２のフローを説明する。２００は印刷ＳＴＡＲＴで複数枚のプリント命令が発生する。２０１は印刷で１枚目の印刷を行う。印刷終了をすると不図示保持部材でトレイの直上で印刷された紙は保持されている。次に２０２で排紙トレイ上に紙がないことを確認する。紙がある場合は、排紙待機２０３に分岐する。１枚目の場合は排紙トレイに紙がないはずなので通常２０４排紙に分岐する。２０６で次頁の印刷が必要な場合はスタート２００の下部に戻り２０１の印刷に入る。２枚目の状態で１枚目が排紙トレイにある場合は、前述のように２０３の排紙待機となり一定の時間経過後排紙される。
【００１７】
排紙時間にくる前に排紙トレイから紙が除かれると同時に２０４の排紙が行われる。
【００１８】
従って、長時間排紙待機状態のものたとえば、写真のように全面印刷で定着に時間がかかる場合などでも、給紙トレイにある。未定着のものを取り除けば次頁の印刷が再会される。トレイ上で定着を待つことによって、無駄になる時間が節約できることとなり、印刷された画像が重なることによる画像乱れも、確実に防止することができる。
【００１９】
この実施例では、印刷後排紙に時間制限をかけているが、定着時間の待機は、印刷をせずに待つことも同様な効果を得られる。
【００２０】
【実施例３】
図３で本発明の実施例３のフローを説明する。３０１は印刷ＳＴＡＲＴで複数枚のプリント命令が発生する。３０２は印刷で１枚目の印刷を行う。印刷終了をすると不図示保持部材でトレイの直上で印刷された紙は保持されている。次に３０３で排紙トレイ上に紙がないことを確認する。紙がある場合は、排紙待機３０４に分岐する。１枚目の場合は排紙トレイに紙がないはずなので通常３０７排紙に分岐する。３０８で次頁の印刷が必要な場合はスタート３０１の下部に戻り３０２の印刷に入る。２枚目の状態で１枚目が排紙トレイにある場合は、前述のように３０４の排紙待機となりブザーが鳴り続き一定の時間経過後３０６でブザーが停止し、３０７で排紙される。
【００２１】
排紙時間にくる前に排紙トレイから紙が除かれると同時に３０６でブザーが停止し、３０７で排紙される。
【００２２】
従って、長時間排紙待機状態のものたとえば、写真のように全面印刷で定着に時間がかかる場合などでも、給紙トレイにある。未定着のものを取り除けば次頁の印刷が再会される。トレイ上で定着を待つことによって、無駄になる時間が節約できることとなり、印刷された画像が重なることによる画像乱れも、確実に防止することができる。又ブザーで印刷終了が知らされるため、速やかにトレイから取り出すことも可能である。
【００２３】
この実施例では、印刷後排紙に時間制限をかけているが、定着時間の待機は、印刷をせずに待つことも同様な効果を得られる。又ここでは、ブザーで印刷終了を警告したが、光学的表示装置を使用する方が騒音上好ましい。
【００２４】
【発明の効果】
排紙トレイに紙検知装置を設け、印刷物の有無を検知し、無いときは印刷制限を解除する事により高能率の印刷を可能とした。
【００２５】
印刷制限のかかっている状態が表示されていれば、排紙された印刷済みの用紙を取り去ることにより、即座に次の印刷が行われるので短時間に印刷可能となる。
【００２６】
その上印刷が終了したことも確認できる。
【図面の簡単な説明】
【図１】本発明に関する装置の構成図
【図２】本発明に関する第２実施例のフローチャート
【図３】本発明に関する第３実施例のフローチャート
【符号の説明】
１０１　給紙トレイ
１０２　インクジェット印刷部
１０３　検知スイッチ
１０４　排紙トレイ
【図１】
2004122624.tif 000003
【図２】
2004122624.tif 000004
【図３】
2004122624.tif 000005